(57)【要約】第１のソースのオーディオ信号を再生するための第１の音量が予選択可能である形式の、少なくとも２つのソースのオーディオ信号を再生するための方法を提案する。本方法では、第１のソース及び少なくとも１つの第２のソースのオーディオ信号を同時再生する際に、少なくとも１つの第２のソースのオーディオ信号の再生を、第１の音量よりも少なくとも微分音量の分だけ大きな音量で行う。これにより、背景で第１のソースのオーディオ信号が再生中でも、第２のソースのオーディオ信号の聞き取り易い再生が可能になる。【特許請求の範囲】
【請求項１】
少なくとも２つの異なるソースのオーディオ信号を再生するための方法であって、第１のソースのオーディオ信号を再生するための第１の音量が予選択可能である形式の方法において、
前記第１のソース及び少なくとも１つの第２のソースのオーディオ信号を同時再生する際に、前記少なくとも１つの第２のソースのオーディオ信号の再生を、前記第１の音量よりも少なくとも微分音量の分だけ大きな音量で行うことを特徴とする、少なくとも２つの異なるソースのオーディオ信号を再生するための方法。
【請求項２】
前記微分音量は予選択可能である、請求項１記載の方法。
【請求項３】
前記第２のソースのオーディオ信号を再生するための第２の音量は予選択可能であり、
前記第２の音量が少なくとも前記微分音量の分だけ前記第１の音量よりも大きいときには、前記第１のソースのオーディオ信号は前記第１の音量で再生し、前記第２のソースのオーディオ信号は前記第２の音量で再生し、
前記第２の音量と前記第１の音量との間の差が前記微分音量よりも小さいときには、前記第２のソースのオーディオ信号は前記第２の音量で再生し、前記第１のソースのオーディオ信号は前記第２の音量よりも前記微分音量の分だけ小さくした音量で再生する、請求項１又は２に記載の方法。
【請求項４】
前記微分音量を目標値と実際値の比較に基づいて調整する、請求項１から３のいずれか１項に記載の方法。
【発明の詳細な説明】
【０００１】
技術の状況
本発明は、独立請求項の上位概念による、少なくとも２つの異なるソースからのオーディオ信号を再生するための方法に関する。ただし、この方法において、第１のソースのオーディオ信号の再生のための第１の音量は予選択可能である。
【０００２】
異なるソースのオーディオ信号、例えば無線受信機又はコンパクトディスクプレーヤ又はコンパクトカセットプレーヤのオーディオ信号を再生することのできるオーディオ装置は、例えばドイツ、ヒルデスハイムのブラウプンクト−ヴェルケ有限会社が販売しているカーラジオ装置の形態で公知である。このようなオーディオ装置は、第１のソースのオーディオ信号、例えば無線受信機のオーディオ信号、又は、例えばＣＤプレーヤ又はＣＣプレーヤのような第２のソースのオーディオ信号のいずれかを選択的に再生することができる。異なるソースのオーディオ信号の同時再生は、このような装置においては意図されていない。したがって、例えばＣＤ又はＣＣを再生する際に、無線受信機によって交通情報が受信された場合、ＣＤ又はＣＣの再生は中断され、その代わりに交通情報が再生され、続いてＣＤ又はＣＣの再生が継続される。
【０００３】
発明の利点
これに対して、独立請求項に記載された特徴を備えた本発明による方法は以下の利点を有する。すなわち、第１のソース及び少なくとも１つの第２のソースのオーディオ信号の同時再生を可能とし、その際、第２のソースのオーディオ信号を第１のソースのオーディオ信号の音量よりも少なくとも微分音量の分だけ大きな音量で再生することによって、少なくとも第２のソースのオーディオ信号の聞き取り易さが改善されるという利点を有する。
【０００４】
さらに、第１のソースのオーディオ信号の再生音量の他に、第２のソースのオーディオ信号の再生音量を上げるために、微分音量の予選択が可能であることも有利である。これにより、ユーザは微分音量を独自の要求及び聴取習慣に合わせることができる。
【０００５】
本発明による方法の別の実施形態は、第２の音量が少なくとも微分音量の分だけ第１の音量よりも大きいときには、第１のソースのオーディオ信号は第１の音量で再生し、第２のソースのオーディオ信号は第２の音量で再生し、第２の音量と第１の音量との間の差が微分音量よりも小さいときには、第２のソースのオーディオ信号は第２の音量で再生し、第１のソースのオーディオ信号は第２の音量よりも微分音量の分だけ小さくした音量で再生するという趣旨に沿っており、第２のソースのオーディオ信号は心地よいと思われる第２の音量で再生されるが、同時に第１のソースのオーディオ信号に対して十分な音量の開きがあるため、第２のソースのオーディオ信号の聞き取り易さが保証されるという利点を有している。これは、とりわけ第１のソースのオーディオ信号を第１の大きな音量で聴く際に有利である。というのも、この場合、第２のソースのオーディオ信号を再生するために音量を上げると、恐らくうるさいか又は非常につらく感じられるからである。この場合、第２の音量の設定が救済策となる。
【０００６】
さらに、第２のソースのオーディオ信号の再生音量の他に、第１のソースのオーディオ信号の再生音量を下げるために、微分音量の予選択が可能であることも有利である。これにより、ユーザは微分音量を独自の要求と聴取習慣に合わせることができる。
【０００７】
さらに、微分音量を目標値と実際値の比較に基づいて調整すると有利である。これにより、第１及び／又は第２のソースのオーディオ信号の実際の再生音量が相応の音量調整器又は制御部によって設定された値からずれても、ずれが補償可能となるので、微分音量はつねに維持される。
【０００８】
図面
本発明の実施例を図面に示し、以下においてより詳細に説明する。図中の同じ記号は、同一又は機能が同じ構成部分を指している。
【０００９】
図１は、本発明による方法を実行するための本発明による装置の第１の実施例のブロック回路図を示している。
【００１０】
図２は、本発明による方法を実行するための本発明による装置の第２の実施例のブロック回路図を示している。
【００１１】
実施例の説明
図１には、本発明による方法を実行するための本発明によるオーディオ信号再生装置の第１の実施例が示されている。例えば、これは、ＣＤプレーヤ又はコンパクトカセットプレーヤ、ならびに無線信号を受信するための無線受信機としても使用可能なカーラジオである。
【００１２】
オーディオ信号再生装置１００は、第１のオーディオ信号源、略して第１のソース１を有している。この第１のソースは、上記のカーラジオの場合では、カーラジオのＣＤプレーヤ又はコンパクトカセットプレーヤである。
【００１３】
第１のソース１のオーディオ信号は、後で説明するミキサ回路９を介して、オーディオ信号を増幅するための制御可能な第１の増幅器１０に供給される。第１の増幅器１０に供給されるオーディオ信号の増幅の程度は、第１の増幅器１０の制御入力側に供給される音量制御信号によって決まる。なお、音量制御信号は第１の音量調整器３において生成される。つまり、音量調整器３において音量制御信号を設定することによって、第１のソースのオーディオ信号を再生するための第１の音量は予選択可能である。
【００１４】
オーディオ信号再生装置はさらに、少なくとも１つの第２のオーディオ信号源、略して第２のソース２を有している。この第２のソースは、上記のカーラジオの場合では、例えば無線受信機である。この場合、この無線受信機は、第１のソース１のオーディオ信号の再生、つまりＣＤ又はＣＣの再生が行われているときに、受信された無線放送番組のうち特別な識別子が付けられた部分だけを、この場合では例えばＡＲＩ（Ａｕｔｏｆａｈｒｅｒ　Ｒｕｎｄｆｕｎｋ　Ｉｎｆｏｒｍａｔｉｏｎｓ−）システムで実施されているいわゆる交通情報識別子ＤＫ又はＲＤＳ（Ｒａｄｉｏ　Ｄａｔｅｎ　Ｓｙｓｔｅｍ）専用のＴＡ（Ｔｒａｆｆｉｃ　Ａｎｎｏｕｎｃｅｍｅｎｔ）識別子を用いてマーキングされた交通情報だけを再生のためにオンにするよう構成されている。つまり、第２のソース２は、オーディオ信号を短時間だけその時々の交通情報又は警報通知の形で使用する。
【００１５】
第２のソース２のオーディオ信号は後で説明する前置増幅器８を介してミキサ回路９の第２の入力側に供給され、ミキサ回路９において第２のソース２のオーディオ信号は第１のソース１のオーディオ信号と重畳される。
【００１６】
そして第１のソース１及び第２のソース２のオーディオ信号は第１の増幅器において共に増幅され、音響的再生のための少なくとも１つのスピーカ１１に供給される。
【００１７】
本発明によれば、オーディオ信号再生装置１００は微分音量調整器４を有しており、微分音量はこの微分音量調整器４において予選択可能である。第２のソース２のオーディオ信号の再生は、微分音量の分だけ第１のソース１のオーディオ信号の音量よりも大きくされなければならない。これは以下の考えに基づいている。すなわち、背景で第１のソース１のオーディオ信号が再生されているときに、つまり上記のカーラジオの場合ではＣＤ又はＣＣの再生中に、臨時的に現れる第２のソース２のオーディオ信号を、つまり上記の交通情報又は警報通知を微分音量の分だけ大きくした音量で再生すれば、背景でＣＤ又はＣＣが再生されていても第２のソースのオーディオ信号の聞き取り易さが保証される。
【００１８】
微分音量調整器４の微分音量調整信号は制御回路７に供給され、制御回路７は、微分音量調整信号と後で説明されるような別の影響量とに基づいて、前置増幅器８の制御及び増幅係数の調整のための制御信号を決定する。
【００１９】
制御回路７には、微分音量調整器４の微分音量調整信号の他に、第１のソース１のオーディオ信号のレベルを表す信号が、レベル検出回路５から供給される。第１のレベル検出回路５は、これに供給されるまだ増幅されていない第１のソース１のオーディオ信号から、例えばオーディオ信号の整流部とこれに後置接続されたローパスフィルタとによって第１のオーディオ信号の信号レベルを決定する。
【００２０】
同様に、制御回路７には、第２のソースのオーディオ信号のレベルを表す信号が第２のレベル検出回路６から供給される。第２のレベル検出回路６は第１のレベル検出回路と同様に構成されており、整流部とこれに後置接続されたローバスフィルタとによって、まだ増幅されていない第２のソース２のオーディオ信号のレベルを決定する。さらに、この第２のソース２のオーディオ信号が散発的に現れる場合には、第２のソース２のオーディオ信号が現れている間だけ第２のレベル検出回路６を接続することによって、第２のソース２のオーディオ信号の休止期間が第２のソース２の増幅されていないオーディオ信号のレベルの検出に影響しないようにしてもよい。
【００２１】
制御回路７は、微分音量調整器４において零に予選択された微分音量に関して、ミキサ回路９の両方の入力側に現れる第１のソース１の増幅されていないオーディオ信号のレベルと第２のソース２の事前増幅されたオーディオ信号のレベルとが等しくなるように、前置増幅器８の増幅係数を決定する。制御回路７はさらに、零より大に予選択された微分音量に関して、前置増幅器８の増幅がとる値によって、増幅器１０の出力側に現れる第２のソース２のオーディオ信号が、増幅器１０の出力側に現れる第１のソース１の増幅されたオーディオ信号よりも微分音量の分だけ大きな音量を有するように、前置増幅器制御信号を決定する。
【００２２】
制御回路７の１つの変形は、単純な制御の代わりに、目標値と実際値の比較に基づいて、ミキサ回路９に供給される事前増幅された第２のソース２のオーディオ信号のレベルを閉ループ制御することに関する。このために、第２のレベル検出回路６には、第２のソース２の増幅されていないオーディオ信号の代わりに、前置増幅器８によって事前増幅された第２のソース２のオーディオ信号が供給される。この変形のためには、前置増幅器制御信号を生成する制御回路７の制御機能を、上記の規定に応じて適合させなければならない。
【００２３】
ミキサ回路９は、第１のソース１のオーディオ信号と第２のソース２のオーディオ信号を重畳するのに使用される。この重畳は、有利には簡単な加算として行われ、ミキサ回路９の出力側には、第１のソース１のオーディオ信号と第２のソース２のオーディオ信号とによる和信号が、前置増幅器の増幅係数で乗積されて印加される。
【００２４】
上で説明した構成及びこれによって実現される本発明による少なくとも２つの異なるソースのオーディオ信号を再生するための方法は、つぎのように機能する。
【００２５】
第１のソース１のオーディオ信号を再生するための、つまり例えばＣＤプレーヤ又はＣＣプレーヤを再生するための第１の音量が第１の音量調整器３を介して予選択又は調整された後、第１の増幅器１０が第１のソース１のオーディオ信号を第１の音量の調整に応じて増幅することにより、第１のソース１のオーディオ信号は少なくとも１つのスピーカ１１を介して第１の音量で再生される。第１の音量の予選択又は調整は、有利には、第１のソースのオーディオ信号の再生中にカーラジオの従来の音量調整器３を介して行うことができる。
【００２６】
さらに、微分音量も微分音量調整器４において予選択される。これは、工場側でカーラジオ装置のテスト使用の際に行ってもよいし、又はユーザが相応の操作エレメントを介して、有利には装置の初期化モードのときに行ってもよい。そのうえ、第１のソース１のオーディオ信号も第２のソース２のオーディオ信号も再生することにより、レベル差の調整をユーザの聴取習慣への適合として行うことができることも有利である。第２のソース２のオーディオ信号が、無線で受信される交通情報の場合のように、規則的には使用できない場合には、これらのオーディオ信号を微分音量の調整のとき又は他のときのために記憶されている代用オーディオ信号でシミュレートしてもよい。
【００２７】
第１のソース１のオーディオ信号のための第１の音量及び微分音量の調整後、第２のソース２のオーディオ信号が前置増幅器８に現れた場合、第２のソース２のオーディオ信号は、制御回路７において生成された前置増幅器制御信号に従って、少なくとも１つのスピーカ１１を介して、第１の音量よりも微分音量の分だけ大きな音量で再生されるように増幅される。
【００２８】
これに対して、本発明の第２の実施例においては、第２のソース２のオーディオ信号のための音量も設定可能であるようになっている。
【００２９】
このために、本発明による変形されたオーディオ信号再生装置２００は、第１のソース１のオーディオ信号は第１の制御可能な増幅器１０に供給され、その一方で第２のソース２のオーディオ信号は第２の制御可能な増幅器１２に供給されるように構成されている。２つの増幅器１０，１２の出力信号、つまり第１のソース１及び第２のソース２の増幅されたオーディオ信号は、ミキサ回路９において上述のようにまとめられ、少なくとも１つの共通のスピーカ１１を介して再生される。
【００３０】
第２の増幅器１２による第２のソース２のオーディオ信号の増幅は、第２の音量調整器１３においてユーザによって自由に設定可能な第２の音量に応じて行われる。
【００３１】
これに対して、第１の増幅器１０による第１のソース１のオーディオ信号の増幅は、第１の音量調整器３において予選択可能な第１の音量の制御信号に従って行われ、第１のソース１及び第２のソース２のオーディオ信号のレベルを表す信号が形成される。ただし、上記の制御信号は制御回路７によって微分音量調整器４の微分音量信号から生成される。
【００３２】
第１のソース１及び第２のソース２のオーディオ信号のレベルを検出するために、第２の実施例において、増幅されたオーディオ信号のレベルを上述のように整流とそれにつづくローパスフィルタリングによって検出するレベル検出回路５及び６がまた設けられている。これによりまた、第２のソース２のオーディオ信号の音量の閉ループ制御が、実際に測定されたオーディオ信号レベルのフィードバックと、それに伴う目標値と実際値の比較と、制御部７により相応して生成されるレベル信号とに基づいて可能となる。第１のソース１のオーディオ信号の音量も同時に監視できるように、微分音量の維持も閉ループ制御に委ねられる。
【００３３】
制御部７はこの実施例では、第１のソース１及び第２のソース２のオーディオ信号の同時再生の際に、
第２の音量が少なくとも微分音量の分だけ第１の音量よりも大きなときには、第１のソース１のオーディオ信号は第１の音量調整器３において調整された第１の音量で再生し、第２のソース２のオーディオ信号は第２の音量調整器１３において調整された第２の音量で再生し、
第２の音量と第１の音量との間の差が微分音量よりも小さいか又は第１の音量が第２の音量よりも大きいときには、第２のソース２のオーディオ信号は第２の音量調整器１３において調整された第２の音量で再生し、第１のソース１のオーディオ信号は第２の音量よりも微分音量の分だけ小さくした音量で再生するよう構成されている。
【００３４】
上で述べた微分音量の閉ループ制御は、例えば第２の増幅器１２の増幅係数が、例えば第２の音量の値を高く予選択したときの増幅器の境界現象の結果として、第２の音量調整器１３によって設定された増幅係数からずれた場合には、小さすぎる実際の第２の音量を第２のレベル検出回路６により識別し、第１のソース１のオーディオ信号の実際の再生音量を相応して小さくするよう作用する。つまり、予選択された第１の音量が、微分音量よりも小さな量だけ第２の音量調整器１３において調整された予選択された第２の音量よりも小さい場合には、上述のように、第１のソース１のオーディオ信号の実際の再生音量は、微分音量の分だけ第２の音量よりも小さな値に低下する。また第２のソース２のオーディオ信号の実際の再生音量が上記の理由から予選択された値よりも低い場合には、閉ループ制御によって、第１のソース１のオーディオ信号の実際の再生音量は第２の音量のこの欠損の分だけさらに小さくなり、その結果、第１のソース１のオーディオ信号の実際の再生音量と第２のソース２のオーディオ信号の実際の再生音量との間の音量の開きは微分音量と一致する。
【００３５】
第１のソース１としてＣＤプレーヤ又はＣＣプレーヤを用い、第２のソース２として無線受信機又はより正確には交通無線受信機を用いた上記実施例に代わって、オーディオ信号源の他のパターンも可能である。すなわち、例えば第１のソース１が娯楽番組用で、第２のソース２が音声による走行指示を出す車両ナビゲーション装置の形態であるパターンも可能である。走行指示には、車両運転者を走行ルートに沿ってガイドするという決定に基づいて、娯楽番組よりも高い優先度が与えられ、それゆえ走行指示が優先される場合には、この場合少なくとも微分音量の分だけ娯楽番組よりも大きな音で再生されなければならない。
【００３６】
車両オーディオ再生装置に限定されない別のパターンも考えられ、それらも本発明の範囲内にある。
【００３７】
さらに、第１及び第２のソースのオーディオ信号を異なるスピーカを介して再生することも可能であり、同様に、これらのオーディオ信号を互いに完全に独立して処理することも可能である。さらに、第１及び第２のソースの信号の実際の再生音量を、少なくとも１つ又は複数のスピーカの放射領域内に配置されたマイクロフォンによって測定することも可能である。その際、レベル検出のために、検査すべき信号ではない各信号を適切なフィルタ、例えば適応型フィルタによってマイクロフォン信号から除去してもよい。ただし、上記フィルタには、マイクロフォン信号も、第１及び第２のソース１，２にから出力されたオーディオ信号も供給される。
【図面の簡単な説明】
【図１】
本発明による方法を実行するための本発明による装置の第１の実施例のブロック回路図を示す。
【図２】
本発明による方法を実行するための本発明による装置の第２の実施例のブロック回路図を示す。
【国際公開パンフレット】
2004508648.tif 000002
2004508648.tif 000003
2004508648.tif 000004
2004508648.tif 000005
2004508648.tif 000006
2004508648.tif 000007
2004508648.tif 000008
2004508648.tif 000009
2004508648.tif 000010
2004508648.tif 000011
2004508648.tif 000012
2004508648.tif 000013
2004508648.tif 000014
2004508648.tif 000015
2004508648.tif 000016
【国際公開パンフレット（コレクトバージョン）】
2004508648.tif 000017
【国際調査報告】
2004508648.tif 000018
2004508648.tif 000019
2004508648.tif 000020
2004508648.tif 000021